(57)【要約】【課題】簡易に高確率でペン回しができるペン回し用の筆記具セットを提供することを課題とする。【解決手段】ペン回し用筆記具セットを、棒状の筆記具本体Ｘであって、当該筆記具本体Ｘの重心位置又は重心位置近傍の、外表面もしくは内部に磁石又は磁石が吸着する金属により形成される筆記具吸着体１０が固定された筆記具本体Ｘと、外表面の少なくとも一部が、前記前記筆記具吸着体１０が吸着する金属又は磁石により形成される１以上の指輪Ｙとにより構成する。【選択図】  図１
2010173295.tif 000002
【特許請求の範囲】
【請求項１】
棒状の筆記具本体であって、当該筆記具本体の重心位置又は重心位置近傍の、外表面もしくは内部に磁石又は磁石が吸着する金属により形成される筆記具吸着体が固定された筆記具本体と、
外表面の少なくとも一部が、前記前記筆記具吸着体が吸着する金属又は磁石により形成される１以上の指輪と
から構成されるペン回し用筆記具セット。
【請求項２】
前記筆記具吸着体は前記筆記具本体の外表面に固定されるものであって、前記筆記具吸着体と、前記指輪の前記金属又は磁石により形成される外表面部分とが互いに回動可能に係合し合う形状を有する請求項１に記載のペン回し用筆記具セット。
【請求項３】
前記筆記具吸着体は前記筆記具本体の内部に固定されるものであって、前記筆記具本体の前記筆記具吸着体が固定される部分近傍の外表面と、前記指輪の前記金属又は磁石により形成される外表面部分とが互いに回動可能に係合し合う形状を有する請求項１に記載のペン回し用筆記具セット。
【請求項４】
棒状の筆記具本体であって、当該筆記具本体の重心位置又は重心位置近傍の、外表面もしくは内部に磁石により形成される筆記具吸着体が固定された筆記具本体。
【発明の詳細な説明】
【技術分野】
【０００１】
本発明は、ボールペンなどの棒状の筆記具を指の周りを回転させるようにして遊ぶ、いわゆるペン回しに好適な筆記具セットに関する。
【背景技術】
【０００２】
ペン回しは、指の周りを棒状の筆記具を回す遊びであるが、普通の筆記具では、バランスが取りにくく、ある程度の器用な人でなければうまく回すことができない。これに対して、下記特許文献には、錘をつけることで、バランスを取りやすくするようにしたペン回し用の筆記具が開示されている。
【先行技術文献】
【特許文献】
【０００３】
【特許文献１】実用新案登録第３１４４４１９号公報
【特許文献２】実用新案登録第３１３８０９７号公報
【発明の概要】
【発明が解決しようとする課題】
【０００４】
上記特許文献に記載の筆記具は、バランスは取りやすくなるが、それでも、引っ掛かりの無い指の上で回す必要があり、やはり不器用な人の場合、うまく回せないことが考えられる。
本発明は、このような問題に鑑み、より簡易に高確率でペン回しができるペン回し用の筆記具セットを提供することを課題とする。
【課題を解決するための手段】
【０００５】
上記課題を解決するために、本発明は次のような構成を有する。
請求項１に記載の発明は、棒状の筆記具本体であって、当該筆記具本体の重心位置又は重心位置近傍の、外表面もしくは内部に磁石又は磁石が吸着する金属により形成される筆記具吸着体が固定された筆記具本体と、外表面の少なくとも一部が、前記前記筆記具吸着体が吸着する金属又は磁石により形成される１以上の指輪とから構成されるペン回し用筆記具セットである。
請求項２に記載の発明は、前記ペン回し用筆記具セットにおいて、前記筆記具吸着体は前記筆記具本体の外表面に固定されるものであって、前記筆記具吸着体と、前記指輪の前記金属又は磁石により形成される外表面部分とが互いに回動可能に係合し合う形状を有するものである。
請求項３に記載の発明は、請求項１に記載のペン回し用筆記具セットにおいて、前記筆記具吸着体は前記筆記具本体の内部に固定されるものであって、前記筆記具本体の前記筆記具吸着体が固定される部分近傍の外表面と、前記指輪の前記金属又は磁石により形成される外表面部分とが互いに回動可能に係合し合う形状を有するものである。
請求項４に記載の発明は、棒状の筆記具本体であって、当該筆記具本体の重心位置又は重心位置近傍の、外表面もしくは内部に磁石により形成される筆記具吸着体が固定された筆記具本体である。
【発明の効果】
【０００６】
請求項１に記載の発明は、使用者が指に前記指輪を嵌めて、当該指輪を中心に前記筆記具本体を回すと、前記指輪と前記筆記具本体の筆記具吸着体とが磁力により引き合うことで、落下しにくくなり、比較的容易にペン回しをすることができる。なお、前記指輪は、複数の指に嵌めてもよく、また、一指に複数の指輪を嵌めてもよい。
請求項２に記載の発明は、筆記具本体の外表面に表出する筆記具吸着体と前記指輪が互いに回動可能に係合し合う形状を有するので、係合状態を保持しながら磁力により互いに引き合うことで、より落下の確率を低減させ、ペン回しの成功率を高めることができる。
請求項３に記載の発明は、筆記具本体の内部に存する筆記具吸着体近傍の筆記具本体表面部分と、前記指輪とが互いに回動可能に係合するので、やはり、係合状態を保持しながら磁力により互いに引き合うことで、より落下の確率を低減させ、ペン回しの成功率を高めることができる。
請求項４に記載の発明は、磁石に吸着する金属を少なくとも外表面の一部に有する指輪を用いれば、上記に記載のペン回し用筆記具セットを構成することができる。
【図面の簡単な説明】
【０００７】
【図１】実施形態に係る筆記具本体の正面図である。
【図２】実施形態に係る筆記具本体の平面図である。
【図３】図２のＡ−Ａ拡大断面図である。
【図４】実施形態に係る指輪の斜視図である
【図５】（ａ）は指輪の第一の変形例を示す横断面面図であり、（ｂ）は指輪の第二の変形例を示す斜視図である。
【図６】筆記具本体の変形例を示す拡大横断面図である。
【発明を実施するための形態】
【０００８】
以下、本発明の実施の形態について、図面を参照しながら説明する。
図１に本実施形態に係るペン回し用筆記具セットを構成する筆記具本体Ｘの正面図を示し、図２に筆記具Ｘの平面図図を示し、図１のＡ−Ａ断面図を示す。また、図４に本実施形態に係るペン回し用筆記具セットを構成する指輪Ｙの斜視図を示す。
筆記具本体Ｘは、棒状の筆記具としてボールペンから構成され、胴体部の外表面に半球部分が突出するように固定された球体の磁石からなる筆記具吸着体１０が埋め込まれ固定されている。筆記具吸着体１０の固定位置は筆記具本体Ｘの重心を通る筆記具本体Ｘの中心軸に垂直な平面と胴体部とが交わる位置に定められる。
指輪Ｙは、一般的な形状の指輪であるが材質が筆記具吸着体１０を吸着する材質により形成されるものであって、ここではステンレスにより形成されている。
【０００９】
次に、以上のような構成を有するペン回し用筆記具セットの使用方法について説明する。使用者はペンを回す指に指輪Ｙを嵌める。なお、親指で回すことが簡易であるので、通常は親指に指輪Ｙを嵌めるとよい。その後、筆記具本体Ｘの筆記具吸着体１０が指輪Ｙ側に向くように持ち、筆記具本体Ｘを指輪Ｙを嵌めた指周りに回す。この際、筆記具本体Ｘの筆記具吸着体１０が指輪Ｙに吸着するので、筆記具本体Ｘは指から落下しにくく、簡易に筆記具本体Ｘを回すことができる。また、2本以上の指にわたって回すような場合は、各指に指輪Ｙを嵌めればよい。
【００１０】
なお、上記実施形態では、指輪Ｙは全体が筆記具吸着体１０を吸着する材質で作られているが、外表面の一部のみを筆記具吸着体１０を吸着する素材で形成してもよい。また、吸着力を高めるために、指輪Ｙも、磁石からなる筆記具吸着体１０の外表面部分の磁極に引き合う磁極を表出させた磁石により形成してもよい。また、指輪Ｙを磁石にする場合は、筆記具本体Ｘには筆記具吸着体１０を磁石に変えて、磁石に吸着する金属にすることもできる。
さらに、上記実施形態では、指輪Ｙの外表面は凹凸無く滑らかに形成されているが、図５（ａ）の横断面図に示す指輪Ｙ２ように、外表面に筆記具吸着体１０の突起に係合するような凹部からなる係合部２１を設けてもよく、さらに、図５（ｂ）の斜視図に示す指輪Ｙ３のように、指輪の外周に渡って、筆記具吸着体１０の突起が係合する溝からなる係合部２２を設けても良い。また、ここでは筆記具吸着体１０側を凸部とし、指輪Ｙの係合部側を凹部としているが、指輪Ｙの係合部側に突起を儲け、筆記具吸着体側に凹部を設けるような構成でもよい。このように指輪Ｙに係合部を設ける場合、係合部と筆記具吸着体１０とは回動可能に係合するような形状が望ましい。
また、上記実施形態では筆記具本体Ｘに設けられる筆記具吸着体１０は一つ胴部の外表面に存するような形態をとっているが、複数の筆記具吸着体を胴部の外周に設けるような形態でもよく、また、リング状の筆記具吸着体で、筆記具本体Ｘの胴部を取り囲むようにしてもよい。
それから、上記実施形態では、筆記具吸着体１０は筆記具本体Ｘの外表面から表出するような形態を取っているが、図６の拡大横断面図を示す筆記具Ｘ２の筆記具吸着体１０Ａのように、筆記具本体Ｘ２の胴部の内部に埋め込むような形態を採ってもよい。
【符号の説明】
【００１１】
Ｘ、Ｘ2  筆記具本体
Ｙ、Ｙ１、Ｙ２  指輪
１０、１０Ａ  磁石
２１、２２  係合部
【図１】
2010173295.tif 000003
【図２】
2010173295.tif 000004
【図３】
2010173295.tif 000005
【図４】
2010173295.tif 000006
【図５】
2010173295.tif 000007
【図６】
2010173295.tif 000008